(57)【特許請求の範囲】
【請求項１】
断面略Ｕ字状の水路構成体の対向内壁である直線状の第一内壁及び第二内壁には、夫々内方に向かって突出する複数の第一導流体及び第二導流体が並設され、この第一導流体夫々の先端同士を結ぶ前記水路構成体の長さ方向への延長直線及び第二導流体夫々の先端同士を結ぶ前記水路構成体の長さ方向への延長直線の間には所定の間隔を有する直線状の流心部が設けられ、前記第一導流体及び第二導流体の基端部には水平な非越流部が設けられ、この非越流部の先端側には越流部が設けられた水路構成体を連結して構成される水路であって、前記水路構成体の内の一の水路構成体の第一導流体と他の水路構成体の第一導流体の突出長及び前記一の水路構成体の第二導流体と他の水路構成体の第二導流体との突出長は異なるように設定され、前記一の水路構成体の前記流心部と、この一の水路構成体に連結される前記他の水路構成体の前記流心部とは前記水路構成体の長さ方向の同一直線とならず、ズレた位置関係となるように構成されていることを特徴とする水路。
【請求項２】
請求項１記載の水路において、前記第一導流体及び第二導流体は、平面視において前記第一導流体に対して前記第二導流体が下流側に配されていることを特徴とする水路。
【請求項３】
請求項１，２いずれか１項に記載の水路において、前記第一導流体及び第二導流体は、夫々の上端が側面視において上流側を向くように傾斜状態に設けられるとともに、夫々の先端が平面視において下流側を向くように傾斜状態に設けられることを特徴とする水路。
【請求項４】
請求項１〜３いずれか１項に記載の水路において、前記第一導流体及び第二導流体の越流部は、高さが先端側程低くなるように設けられていることを特徴とする水路。
【請求項５】
請求項１〜４いずれか１項に記載の水路において、前記第一導流体及び第二導流体は、夫々の下流側前縁が湾曲状に形成されていることを特徴とする水路。
【発明の詳細な説明】
【０００１】
【発明の属する技術分野】
本発明は、水路に関するものである。
【０００２】
【従来の技術及び発明が解決しようとする課題】
従来から、例えば河川に施工される工作物であって、主に農業利水を目的に施工される頭首工に設置される魚道として、水路内を流下する水の流れをコントロールすることによって魚が遡上及び降下できる経路を備えた導流壁式の魚道（以下、従来例という。）が提案されている。
【０００３】
この従来例について具体的に説明すると、従来例は、断面略Ｕ字状の水路構成体31同士を連結して構成されるもので、図９〜１１に図示したようにこの水路構成体31の対向内壁32，33には、夫々内方に向かって突出する複数の導流体34，35が並設され、この導流体34，35は、平面方向から見て一方の導流体に対して他方の導流体が水路構成体31の下流側に配され且つ一方にある導流体の先端部が他方にある二つの導流体の先端延長線Ｌ３より内側（図９中右側）へ入り込む位置関係となるように構成されており、よって、従来例は、水を流下させた際、比較的水の流れが速い部分（以下、流心部37という。）と水の流れがゆるやかな部分（以下、静水部38という。）とを生じさせることで、水路内に魚が遡上及び降下できる経路を設けたものである。
【０００４】
しかしながら、従来例は、水路構成体31の対向内壁32，33に突出する導流体34，35が、水の流下方向に対してその先端同士が重なり合う状態で交互に配設される構成の為、流れの速い流心部37における曲流（蛇行）により、導流体34，35夫々の下流側壁面近傍（静水部38）において渦Ｓが発生し、魚の遡上及び降下の障害となる環境ができてしまう（図９参照）。しかも、導流体34，35夫々の上流側壁面部分において砂礫36やゴミなどが堆積し易く、この点においても魚の遡上及び降下の障害となる環境ができてしまう（図１０，１１参照）。
【０００５】
以上のように、従来例は、前述のような問題点が指摘され、魚道としての機能が十分に発揮されていないのが現状である。
【０００６】
本発明は、上述の問題点を解決し、魚の遡上及び降下に最適な環境を備えた水路を提供するものである。
【０００７】
【課題を解決するための手段】
添付図面を参照して本発明の要旨を説明する。
【０００８】
断面略Ｕ字状の水路構成体１の対向内壁である直線状の第一内壁２及び第二内壁３には、夫々内方に向かって突出する複数の第一導流体４及び第二導流体５が並設され、この第一導流体４夫々の先端同士を結ぶ前記水路構成体１の長さ方向への延長直線Ｌ１及び第二導流体５夫々の先端同士を結ぶ前記水路構成体１の長さ方向への延長直線Ｌ２の間には所定の間隔Ａを有する直線状の流心部７が設けられ、前記第一導流体４及び第二導流体５の基端部には水平な非越流部が設けられ、この非越流部の先端側には越流部が設けられた水路構成体１を連結して構成される水路６であって、前記水路構成体１の内の一の水路構成体１の第一導流体４と他の水路構成体１の第一導流体４の突出長及び前記一の水路構成体１の第二導流体５と他の水路構成体１の第二導流体５との突出長は異なるように設定され、前記一の水路構成体１の前記流心部７と、この一の水路構成体１に連結される前記他の水路構成体１の前記流心部７とは前記水路構成体１の長さ方向の同一直線とならず、ズレた位置関係となるように構成されていることを特徴とする水路に係るものである。
【０００９】
また、請求項１記載の水路において、前記第一導流体４及び第二導流体５は、平面視において前記第一導流体４に対して前記第二導流体５が下流側に配されていることを特徴とする水路に係るものである。
【００１０】
また、請求項１，２いずれか１項に記載の水路において、前記第一導流体４及び第二導流体５は、夫々の上端が側面視において上流側を向くように傾斜状態に設けられるとともに、夫々の先端が平面視において下流側を向くように傾斜状態に設けられることを特徴とする水路に係るものである。
【００１１】
また、請求項１〜３いずれか１項に記載の水路において、前記第一導流体４及び第二導流体５の越流部は、高さＨが先端側程低くなるように設けられていることを特徴とする水路に係るものである。
【００１２】
また、請求項１〜４いずれか１項に記載の水路において、前記第一導流体４及び第二導流体５は、夫々の下流側前縁が湾曲状に形成されていることを特徴とする水路に係るものである。
【００１３】
【発明の作用及び効果】
第一導流体４に係る延長直線Ｌ１と第二導流体５に係る延長直線Ｌ２との間の間隔Ａを有する流心部７は直線状である為、流れる水は、例えば従来例のように曲流しない。
【００１４】
従って、従来例のように水の流れが急な曲流（蛇行）は生ぜず、第一導流体４及び第二導流体５の近傍に渦Ｓが発生することが可及的に防止されることになり、よって、魚の遡上及び降下に適した良好な環境が得られることになるなど従来にない画期的な効果を発揮する。
【００１５】
【発明の実施の形態】
図１〜６は本発明の第一実施例、図７，８は本発明の第二実施例であり、以下に説明する。
【００１６】
第一実施例について説明する。
【００１７】
第一実施例に係る水路構成体１は、図１に図示したようにコンクリート材を型により断面視Ｕ字形状に一体成形して成るものである。
【００１８】
また、この水路構成体１は、その対向内壁である第一内壁２及び第二内壁３にコンクリート製の第一導流体４及び第二導流体５が内方に向かって突出するように配設され、この第一導流体４及び第二導流体５は止着部材９を介して止着されている。
【００１９】
具体的には、この第一導流体４及び第二導流体５は、図２に図示したように水路構成体１を平面方向から見て一方の導流体に対して他方の導流体が水路構成体１の下流側となる位置関係に配設され、更に、この第一導流体４夫々の先端同士を結ぶ延長直線Ｌ１と、第二導流体５夫々の先端同士を結ぶ延長直線Ｌ２との間には所定の間隔Ａが保持せしめられるように構成されている。
【００２０】
この第一導流体４に係る延長直線Ｌ１と第二導流体５に係る延長直線Ｌ２との間の間隔Ａから成る領域は、水路構成体１に水を流した際、水が直線状に流れ且つ比較的水の流れの速い流心部７となり、また、この流心部７と水路構成体１の内壁２，３と導流体４，５とで囲繞される部位は魚の休憩部としての静水部８となる。
【００２１】
尚、第一導流体４及び第二導流体５夫々の長さは、一の水路構成体１において流心部７の直線状態（多少の曲線状態も含まれる）を保持するものであれば必ずしも互いに同一の長さである必要はない。
【００２２】
また、第一導流体４及び第二導流体５は、夫々の先端が平面方向から見て下流側を向くように斜設されるとともに、夫々の上端が側面方向から見て上流側を向くように斜設されている。
【００２３】
具体的には、図２に図示したように第一導流体４及び第二導流体５は、夫々の上流側壁面４ａ，５ａと流心部７における水の流下方向と直交する線Ｂとのなす角Ｒ１が約１０°〜３０°となるように傾斜状態に設けられ、図３，５に図示したように第一導流体４及び第二導流体５は、夫々の上流側壁面４ａ，５ａと水路構成体１の底壁面１ａとのなす角Ｒ２が約６０°〜７０°となるように傾斜状態に設けられている。
【００２４】
また、第一導流体４及び第二導流体５は、夫々の高さＨが先端側ほど低くなるように設けられている。具体的には、図４に図示したように第一導流体４及び第二導流体５は、夫々上端面（天端）に当該導流体４，５の基端側から先端側へわずかに水平状に形成される水平部４ｂ，５ｂと、この水平部４ｂ，５ｂから先端まで約１０°〜１５°傾斜状に形成される傾斜部４ｃ，５ｃとで構成されている。
【００２５】
この第一導流体４及び第二導流体５夫々の水平部４ｂ．５ｂは、水路構成体１を流下する水の非越流部となり、傾斜部４ｃ，５ｃは水の水量（流量）に応じて水の流れに大きな流速分布を付ける越流部を構成している。即ち、流下する水の流速は流路の深さに比例して速度は変化するが（深さが深いほど流速は速くなる）、本実施例に係る第一導流体４及び第二導流体５は、夫々の上端面に傾斜部４ｃ，５ｃを設けて夫々の高さＨが先端側ほど低く（深さが深く）なるように設けたから、流心部７が最も流速が速くなり、この流心部７から離れるほど（傾斜部４ｃ，５ｃの後端側ほど）水の流速は遅くなることになる。尚、本実施例では、水路構成体１（水路）を流れる水の水量（流量）は、第一導流体４及び第二導流体５夫々の水の非越流部となる水平部４ｂ．５ｂに達しない程度に調整され、よって、傾斜状に設けられた水の越流部の機能を十分に発揮せしめるものである。
【００２６】
また、第一導流体４及び第二導流体５は、図５に図示したように夫々の水の非越流部（水平部４ｂ，５ｂ）及び水の越流部（傾斜部４ｃ，５ｃ）の下流側前縁がなだらかな湾曲状に形成されている。
【００２７】
尚、本実施例は、水路構成体１の第一内壁２及び第二内壁３並びに底壁面１ａ並びに第一導流体４及び第二導流体５夫々を成形する際、化粧型枠など使用してその表面を岩肌状にするなど適宜設計し得るものであり、また、この水路構成体１の構築方法として、例えば作業現場において型枠（木製又は鋼製）を組み立て、鉄筋を配置（配筋）し、この型枠内にコンクリートを打設することで一体成形するようにしても良い。
【００２８】
以上のように構成される水路構成体１同士を連結して水路６は構成され、この際、例えば図６に図示したように上流側に配設する一の水路構成体１に係る第一導流体４の長さを第二導流体５の長さに比して短く設定し、この一の水路構成体１の下流側に連結させる他の水路構成体１に係る第一導流体４の長さを第二導流体５の長さに比して長く設定することで、一の水路構成体１の流心部７と、この一の水路構成体１に連続する他の水路構成体１の流心部７とが同一直線上にならない異なる位置関係となるように構成されるものである。
【００２９】
本実施例は上述のように構成したから、水が水路構成体１を流れる際、第一導流体４に係る延長直線Ｌ１と第二導流体５に係る延長直線Ｌ２との間の間隔Ａを有する流心部７は従来例のように曲流することはない。
【００３０】
よって、本実施例によれば、流心部７が直線状であるから、従来例のように水の流れが急な曲流（蛇行）は生ぜず、第一導流体４及び第二導流体５の近傍に渦Ｓが発生することが可及的に防止されることになり、よって、魚の遡上及び降下に適した良好な環境が得られることになる。
【００３１】
また、本実施例は、第一導流体４及び第二導流体５は、夫々の上端が側面方向から見て上流側を向くように傾斜状態に設けられている為、第一導流体４及び第二導流体５夫々の上流側壁面４ａ，５ａと水路構成体１の底壁面１ａとの連設部に流下する水がぶつかることでこの部分に渦巻き流Ｔが発生し（図３参照）、この渦巻き流Ｔにより土砂やゴミなどが堆積するのは確実に防止されることになり、そして更に、第一導流体４及び第二導流体５は、夫々の先端が平面方向から見て下流側を向くように傾斜状態に設けられている為、第一導流体４及び第二導流体５に当たる水が該導流体４，５の先端側へ向かう流れとなり、前記渦巻き流Ｔにより堆積するのを阻止された土砂やゴミなどはこの水の流れに誘導されて確実に下流側に流されることになり、よって、より一層魚の遡上及び降下に適した良好な環境が得られることになる。
【００３２】
また、本実施例は、第一導流体４及び第二導流体５は、夫々の高さＨが先端側程低くなるように設けられている為、水の水量（流量）が変化してもその変化に対応する水の越流部分を備えることになるから、比較的水が速く流れる部分と遅く流れる部分とを確実に作出して水の流れに大きな流速分布を付けることにより、魚の遡上及び降下に好適な流れを保つことができ、よって、より一層魚の遡上及び降下に適した良好な環境が得られることになる。
【００３３】
また、本実施例は、第一導流体４及び第二導流体５は、夫々の下流側前縁が湾曲状に形成されている為、水が第一導流体４及び第二導流体５の上面を越流する際、水を滑らかに流下させることができ魚の遡上及び降下に好適な流れを得ることができるのは勿論、空気を巻き込んで泡が発生したりゴミ（浮遊物）が滞留するのを防止することができ、よって、より一層魚の遡上及び降下に適した良好な環境が得られることになる。
【００３４】
また、本実施例に係る水路６は、流心部７同士が、水路構成体１（水路６）の長さ方向の同一直線とならず、ズレた位置関係となるように構成して流れに変化をもたせている為、水の流れが加速されることを防止でき、よって、魚の遡上及び降下に適した環境を備えた水路となる。
【００３５】
次に、第二実施例について説明する。
【００３６】
第二実施例は、図７，８に図示したようにコンクリート部材を一体成形して成る断面視Ｌ字形状の壁材（プレキャストブロック）10を複数個設け、この壁材10を前後左右に並設することで断面略Ｕ字状の水路構成体１を構成したタイプのもので、この水路構成体１は、その対向内壁である第一内壁２及び第二内壁３に内方に向かって突出する複数の第一導流体４及び第二導流体５が一体成形されている。符号11は連結金具、12は打設コンクリートである。
【００３７】
従って、本実施例は、例えば予め工場などで成形したものを作業現場に搬送して並べるだけで魚の遡上及び降下に適した環境を備えた水路６（水路構成体１）を簡易に且つ迅速に作出することができることになる。
【００３８】
その余は第一実施例と同様のものである。
【図面の簡単な説明】
【図１】  第一実施例の施工状態を示す説明図である。
【図２】  第一実施例の概略動作説明図である。
【図３】  図２のＡ−Ａ断面図である。
【図４】  第一実施例に係る要部を説明する正断面図である。
【図５】  図２のＢ−Ｂ断面図である。
【図６】  第一実施例に係る水路構成体同士を連結して水路を施工した状態を示す説明図である。
【図７】  第二実施例を説明する分解斜視図である。
【図８】  第二実施例の施工状態を示す説明図である。
【図９】  従来例の概略動作説明図である。
【図１０】  従来例の概略動作説明図である。
【図１１】  従来例の概略動作説明図である。
【符号の説明】
Ａ  間隔
Ｌ１  延長直線
Ｌ２  延長直線
Ｈ  高さ
１  水路構成体
２  第一内壁
３  第二内壁
４  第一導流体
５  第二導流体
６  水路
７  流心部
【図１】
0004097840.tif 000002
【図２】
0004097840.tif 000003
【図３】
0004097840.tif 000004
【図４】
0004097840.tif 000005
【図５】
0004097840.tif 000006
【図６】
0004097840.tif 000007
【図７】
0004097840.tif 000008
【図８】
0004097840.tif 000009
【図９】
0004097840.tif 000010
【図１０】
0004097840.tif 000011
【図１１】
0004097840.tif 000012